(57)【要約】【課題】本発明は、設定入力手段を操作する際に、販売トラブルが起きないようにする自動販売機を提供することにある。【解決手段】設定・確認操作用の設定入力手段を備えた自動販売機において、前記設定入力手段を操作中に販売を禁止するモード、販売中に前記設定入力手段の操作を無効とするモードのうち、少なくともいずれか一方のモードを設定可能としたものである。【選択図】図１
2015018357.tif 000002
【特許請求の範囲】
【請求項１】
設定・確認操作用の設定入力手段を備えた自動販売機において、前記設定入力手段を操作中に販売を禁止するモード、販売中に前記設定入力手段の操作を無効とするモードのうち、少なくともいずれか一方のモードを設定可能としたことを特徴とする自動販売機。
【請求項２】
請求項１に記載の自動販売機において、前記販売を禁止するモードに設定した際には、前記設定入力手段を操作中に設定・確認操作に関係しない機能への通電を停止することを特徴とすることを特徴とする自動販売機。
【請求項３】
請求項２に記載の自動販売機において、前記設定・確認操作に関係しない機能として、少なくも硬貨処理装置を備え、硬貨処理装置への通電を停止することを特徴とする自動販売機。
【請求項４】
請求項２または３に記載の自動販売機において、前記設定・確認操作に関係しない機能として、少なくとも販売中ランプを有する表示器を備え、前記設定入力手段を操作中に前記販売中ランプを消灯することを特徴とする自動販売機。
【請求項５】
請求項１に記載の自動販売機において、前記販売中に前記設定入力手段の操作を無効とするモードにおける販売中は、入金または商品先選択を含むことを特徴とする自動販売機。
【発明の詳細な説明】
【技術分野】
【０００１】
本発明は、内部に設定入力手段が配設され、この設定入力手段を操作して、各種設定、各種確認作業などが行える自動販売機に関する。
【背景技術】
【０００２】
従来、設定入力手段による操作は、価格設定、商品の払い出しを行うテスト販売などが知られている。
【０００３】
まず、商品の価格設定は、作業員によって以下の手順で行われている。
【０００４】
すなわち、設定入力手段は、例えば、自動販売機の外扉の裏面側に取り付けられており、この設定入力手段は、コードにより制御部に接続されている。
【０００５】
この設定入力手段を自動販売機前面側にコードを延ばして引っ張り出し、外扉を閉じた状態で、設定入力手段の価格設定釦を操作すると、価格設定モードとなり、設定入力手段の各釦を使用して販売価格を入力し、設定したい商品の商品選択ボタンを押すことで、販売価格が設定されるものである（例えば、特許文献１参照）。
【０００６】
また、商品のテスト販売は、設定入力手段としてのリモコンを操作してテスト販売モードとすると、商品払い出し可能のコラムに対応する商品選択ボタンの販売可能ランプが点灯する。
【０００７】
ここで、販売可能ランプが点灯している商品選択ボタンを操作すると、商品を搬出する。
【０００８】
このテスト販売は、選択ボタンより商品を１個ずつ正常に販売されるかテストするものである（例えば、特許文献２参照）。
【先行技術文献】
【特許文献】
【０００９】
【特許文献１】特開２００６−１８４９６３号公報
【特許文献２】特開２０１０−４９４４１号公報
【発明の概要】
【発明が解決しようとする課題】
【００１０】
上記のように、従来の自動販売機では、設定入力手段（リモコン）を操作して各種設定・確認が行えるようになっているが、この設定入力手段（リモコン）操作中であっても、利用者への販売を優先するために、設定入力手段（リモコン）の操作待機中であれば、貨幣の投入による商品の販売が可能なように構成されている場合があり、その商品払出しの際、自動販売機前面の扉が閉じられている場合には、商品は商品取出口に払い出されるが、前面の扉が開放されている場合には、その商品が地面に落下してしまう可能性があり、また、作業員が作業している場合には、作業員に商品が当ってしまう可能性があった。
【００１１】
また、販売を出来ないようにしたとしても、販売に関する機器である自動販売機前面の各種ランプや通貨機器などへも通電は行われており、消費電力がかかるという課題があった。
【００１２】
一方、入金または商品先選択され、その後に設定入力手段（リモコン）の操作が行われてしまう場合があり、この操作が販売に対する設定変更(現金価格、コラム設定等)の場合には動作不良を起こす可能性があった。
【００１３】
すなわち、設定入力手段（リモコン）を中断して、他の作業を行い、再度、設定入力手段（リモコン）の操作を行う際、入金または商品先選択が行われているのに気付かず、操作してしまう可能性があり、この操作が販売に対する設定変更(現金価格、コラム設定等)の場合には動作不良を起こす可能性があった。
【００１４】
そこで、本発明は、上記課題に鑑みてなされたものであって、設定入力手段を操作する際に、販売トラブルが起きないようにする自動販売機を提供することを目的とする。
【課題を解決するための手段】
【００１５】
上記目的を達成するために、本発明の自動販売機は、以下の手段により構成されるものである。
（１）設定・確認操作用の設定入力手段を備えた自動販売機において、前記設定入力手段を操作中に販売を禁止するモード、販売中に前記設定入力手段の操作を無効とするモードのうち、少なくともいずれか一方のモードを設定可能としたことを特徴とする。
（２）前記販売を禁止するモードに設定した際には、前記設定入力手段を操作中に設定・確認操作に関係しない機能への通電を停止することを特徴とする。
（３）前記設定・確認操作に関係しない機能として、少なくも硬貨処理装置を備え、硬貨処理装置への通電を停止することを特徴とする。
（４）前記設定・確認操作に関係しない機能として、少なくとも販売中ランプを有する表示器を備え、前記設定入力手段を操作中に前記販売中ランプを消灯することを特徴とする。
（５）前記販売中に前記設定入力手段の操作を無効とするモードにおける販売中は、入金または商品先選択を含むことを特徴とする。
【発明の効果】
【００１６】
本発明は、自動販売機において、設定入力手段を操作中に販売を禁止するモード、販売中に前記設定入力手段の操作を無効とするモードのうち、少なくともいずれか一方のモードを設定可能としたことで、設定入力手段の操作に関する販売トラブルを無くすことができる。
【００１７】
また、設定入力手段を操作中には、設定・確認操作に関係しない機能への通電を停止することで、省エネも図ることができる。
【図面の簡単な説明】
【００１８】
【図１】本発明の実施形態にかかる自動販売の構成を示すブロック図である。
【図２】本発明の第１の実施形態を示すフローチャート図である。
【図３】本発明の第１の実施形態の変形例を示すフローチャート図である。
【図４】本発明の第２の実施形態を示すフローチャート図である。
【図５】本発明の対象となる自動販売機を示す概略正面図である。
【図６】本発明の対象となる自動販売機の内部を示す概略斜視図である。
【発明を実施するための形態】
【００１９】
以下に図面を参照しながら、本発明に係る自動販売機の実施の形態について説明する。
【００２０】
まず、本発明の対象となる自動販売機の一例を図５，図６を用いて説明するものであり、図５は概略正面図、図６は外扉を開放した状態における概略斜視図である。
【００２１】
ここで例示する自動販売機１は、缶入り飲料やペットボトル入り飲料、ビン入り飲料、缶ボトル入り飲料等の商品を冷却、もしくは加熱した状態で販売するためのもので、本体キャビネット１０を備えている。本体キャビネット１０は、複数の鋼板を組み合わせることによって構成したもので、前面が開口した箱状を成している。
【００２２】
本体キャビネット１０の内部には、内箱２０が設けてある。内箱２０は、本体キャビネット１０と同様に、複数の鋼板を組み合わせることにより、前面が開口した箱状に構成したものである。図には明示していないが、本体キャビネット１０と内箱２０との間には、内箱２０の内部を断熱構造とするために断熱材が充填してある。
【００２３】
内箱２０の内部には、複数の収容室２１が設けてある。複数の収容室２１は、内箱２０の内部に断熱仕切壁２２を設けることによって構成したもので、互いに熱的に独立している。各収容室２１の下方部には、シュータ２３が設けてある。シュータ２３は、商品収納ラック３０から払い出された商品を案内するためのもので、手前側に向けて下方に傾斜している。図には明示していないが、収容室２１の内部においてシュータ２３より下方となる領域には、内部を所望の温度に維持するための冷却ユニットや加熱ユニットが設けてある。
【００２４】
また、上記自動販売機１には、本体キャビネット１０の一側縁部に内扉４０及び外扉５０を保持させてある。内扉４０は、収容室２１の前面開口を開閉するためのもので、中空の鋼板パネルに断熱材を充填する等、断熱機能を有するように構成してある。外扉５０は、本体キャビネット１０の前面開口を開閉するためのものである。
【００２５】
外扉５０の前面には、上部に商品見本展示室５１と、該展示室５１内に配置される複数の商品見本５２と、該商品見本５２に対応して設けられる販売可能ランプおよび売切ランプを備える商品選択ボタン５３と、紙幣を挿入する紙幣挿入口５４と、硬貨を投入する硬貨投入口５５と、投入貨幣を返却する返却レバー５６と、釣銭などを返却する硬貨返却口５５ａと、販売中ランプおよび投入金額表示を行う金額表示を含む一体表示器５７と、シュータ２３によって案内された商品を取り出すための商品取出口５８と、シリンダー錠付きのハンドル５９とが設けてある。
【００２６】
また、外扉５０の裏面側には、メインコントロールボックス１０１、各種設定・確認操作用の設定入力手段としてのリモコン１０２、硬貨投入口５５から投入された硬貨の真偽、種類などを選別し、計数および釣銭を払い出す硬貨処理装置１０３、紙幣挿入口５４から挿入された紙幣の真偽、種類などを識別する紙幣識別装置１０４などが配置されている。
【００２７】
次に、図１は、本発明の一実施の形態を示す構成ブロック図である。
【００２８】
メインコントロールボックス１０１は、は自動販売機全体を制御する制御部１０１ａ、制御プログラムを格納するメモリ１０１ｂ、商品の販売価格、コラムと商品選択ボタンとの対応関係、その他、設定データ、売上データなど種々のデータを記憶するメモリ１０１ｃを備えている。
【００２９】
このメインコントロールボックス１０１には、各種設定・確認操作用の設定入力手段としてのリモコン１０２、硬貨投入口５５から投入された硬貨の真偽、種類などを選別し、計数および釣銭を払い出す硬貨処理装置１０３、紙幣挿入口５４から挿入された紙幣の真偽、種類などを識別する紙幣識別装置１０４、冷却機およびヒータなどからなる冷熱装置１０５，商品を搬出する商品搬出装置１０６を制御する本体制御部１０７、販売可能ランプ５３ａおよび売切ランプ５３ｂを備える商品選択ボタン５３、販売中ランプ５７ａを備える一体表示器５７、ドアスイッチ５０ａなどが接続されている。
【００３０】
なお、硬貨処理装置１０３には、返却レバー５６が接続されており、通常時の操作においては、この返却レバー５６を操作することにより、保留中の硬貨あるいは紙幣が返却されるものである。
【００３１】
また、ドアスイッチ５０ａは、外扉５０が閉移動して本体キャビネット１０の前面開口が閉じられた場合にオフ状態となる一方、外扉５０が開移動して本体キャビネット１０の前面開口が開放された場合にオン状態となる。
【００３２】
この構成において、リモコン１０２操作中に販売を禁止するモードが設定されている第１の実施形態について、図２のフローチャート図を用いて説明する。
【００３３】
まず、リモコン１０２の操作中に販売を禁止するモードが設定されており（ステップＳ０１，Ｙｅｓ）、次に、リモコン１０２を操作中であるか否かを判断し（ステップＳ０２）、リモコン１０２が操作されていれば（ステップＳ０２，Ｙｅｓ）、硬貨処理装置１０３、紙幣識別装置１０４への通電を停止する（ステップＳ０３）。
【００３４】
一方、販売を禁止するモードが設定されている場合でも、ステップＳ０２にてリモコン１０２が操作されていなければ（ステップＳ０２、Ｎｏ）、貨幣待ちで、通常の販売待機中となる（ステップＳ０４）。
【００３５】
このように、硬貨処理装置１０３、紙幣識別装置１０４への通電を停止とすることで、例えば、硬貨投入口５５に硬貨が投入されても、投入された硬貨を取り込まずにそのまま硬貨返却口５５ａに返却し、紙幣挿入くち５４に紙幣を挿入しようとしても紙幣を取り込まないものである。
【００３６】
このように、リモコン１０２が操作されている時に販売を禁止するモードが設定されている場合、リモコン１０２操作中には、硬貨処理装置１０３、紙幣識別装置１０４への通電を停止することで省エネを行い、貨幣の受け入れを禁止して、販売を禁止するものである。
【００３７】
また、電子マネー用のリーダライタを備えている場合には、該リーダライタへの通電も停止する。
【００３８】
次に、第１の実施形態の変形例として、図３のフローチャート図に示すように、リモコン１０２の操作中に販売を禁止するモードが設定されており（ステップＳ１１，Ｙｅｓ）、次に、リモコン１０２を操作中であるか否かを判断し（ステップＳ１２）、リモコン１０２が操作されていれば（ステップＳ１２，Ｙｅｓ）、販売中ランプ５７ａを消灯する（ステップＳ１３）。
【００３９】
一方、販売を禁止するモードが設定されている場合でも、ステップＳ１２にてリモコン１０２が操作されていなければ（ステップＳ１２、Ｎｏ）、貨幣待ちで、通常の販売待機中となる（ステップＳ１４）。
【００４０】
このように、リモコン１０２操作中には、販売中ランプ５７ａを消灯して、利用者に販売停止中であることを報知するとともに、販売中ランプ５７ａを消灯することで、省エネにも繋がる。
【００４１】
このように、リモコン１０２の設定・確認に必要が無い機能については、通電を停止して、省エネを図ることができる。
【００４２】
なお、リモコン１０２操作中とは、例えば、図示しない、リモコン１０２の何らかのキーが押され、設定モードとなり、図示しない終了キーが押されていない状態を指す。
【００４３】
次に、販売中にリモコン１０２の操作を無効とするモードが設定されている第２の実施形態について、図４のフローチャート図を用いて説明する。
【００４４】
まず、販売中にリモコン１０２の操作を無効とするモードが設定されており（ステップＳ２１）、紙幣挿入口５４、硬貨投入口５５のうち、例えば、硬貨投入口５５に硬貨が投入されれば（ステップＳ２２，Ｙｅｓ）、次に、リモコン１０２が操作されても、操作を無効とする（ステップＳ２３）。
【００４５】
このリモコン１０２の操作無効は、リモコン１０２に内蔵のブザーあるいは表示部にて作業者に報知する。
【００４６】
その後、商品選択ボタン５３が押され（ステップＳ２４）、選択された商品が搬出されれば（ステップＳ２５）、販売終了となり、リモコン１０２の操作は可能となる。
【００４７】
このように、販売中には、リモコン１０２の操作を無効とすることで、利用者とのトラブルを防止するものである。
【００４８】
この販売中とは、例えば、貨幣の場合には、入金から商品搬出あるいは返却レバー５６の操作までであり、図示していないが、電子マネー対応のリーダライタ装置が設けられている場合には、商品先選択から商品搬出まであるいは所定時間経過までとなり、販売に関連する行為の全てに関係するものである。
【００４９】
このように、先にリモコン１０２の操作が行われている場合には販売を禁止し、販売中にはリモコン１０２の操作を無効とすることで、利用者との販売トラブルを無くすことができる。
【００５０】
また、先にリモコン１０２の操作が行われている場合には、リモコン１０２の設定・確認に不要な機能については、通電を停止することで、さらに省エネも図れるものである。
【００５１】
このように、リモコン１０２操作中に販売を禁止するモード、販売中にリモコン１０２の操作を無効とするモードをリモコン１０２で設定できることにより、自動販売機の設置場所、作業内容によって、各モードを設定することができ、販売トラブルを無くすことができる。
【符号の説明】
【００５２】
１            自動販売機
１０          本体キャビネット
５０          外扉
５０ａ        ドアスイッチ
５７ａ        販売中ランプ
１０１        メインコントロールボックス
１０１ａ      制御部
１０１ｂ      メモリ
１０１ｃ      メモリ
１０２        リモコン
１０３        硬貨処理装置
１０４        紙幣識別装置
【図１】
2015018357.tif 000003
【図２】
2015018357.tif 000004
【図３】
2015018357.tif 000005
【図４】
2015018357.tif 000006
【図５】
2015018357.tif 000007
【図６】
2015018357.tif 000008